(57)【要約】【課題】  本発明は、ライト・ストラテジをレーザ・ドライバに伝送する方法、並びにこの方法を用いて光記録媒体に対して書込みまたは読み書きを行うピックアップおよび装置に関する。【解決手段】  本発明によれば、この方法は、暗号化されたライト・ストラテジをレーザ・ドライバに伝送するステップ（２）と、伝送されたライト・ストラテジを、レーザ・ドライバの第１のメモリに記憶された解読キーを用いて解読するステップ（３）とを含んでいる。【選択図】        図１
2007134030.tif 000002
【特許請求の範囲】
【請求項１】
レーザ・ドライバにライト・ストラテジを伝送する方法であって、
暗号化されたライト・ストラテジを前記レーザ・ドライバに伝送するステップと、
前記伝送されたライト・ストラテジを、前記レーザ・ドライバの第１のメモリに記憶された解読キーを用いて解読するステップと、
を含む、前記方法。
【請求項２】
伝送されたライト・ストラテジを、解読状態または暗号化状態で、第２のメモリに記憶するステップを更に含む、請求項１に記載の方法。
【請求項３】
複数の解読キーが、前記レーザ・ドライバの前記第１のメモリに記憶される、請求項１または２に記載の方法。
【請求項４】
前記レーザ・ドライバの前記第１のメモリに記憶された少なくとも１つの解読キーが更新可能である、請求項１から３の何れか一項に記載の方法。
【請求項５】
前記レーザ・ドライバの前記第１のメモリに記憶された前記少なくとも１つの解読キーを更新するためにはパスワードが必要である、請求項４に記載の方法。
【請求項６】
光記録媒体の書込みを行うレーザを駆動するレーザ・ドライバと、
少なくとも１つの解読キーを記憶する第１のメモリと、
暗号化されたライト・ストラテジを受信する入力と、
前記第１のメモリに記憶された解読キーを用いて、前記入力で受信された暗号化されたライト・ストラテジを解読する解読器と、
を含む、光ピックアップ。
【請求項７】
伝送されたライト・ストラテジを、解読状態または暗号化状態で記憶する第２のメモリを更に含む、請求項６に記載の光ピックアップ。
【請求項８】
前記レーザ・ドライバの前記第１のメモリに記憶された少なくとも１つの解読キーを更新する更新装置を更に含む、請求項６または７に記載の光ピックアップ。
【請求項９】
前記レーザ・ドライバの前記第１のメモリに記憶された前記少なくとも１つの解読キーの更新を制限するパスワード制御装置を更に含む、請求項８に記載の光ピックアップ。
【請求項１０】
光記録媒体に対して書込みまたは読み書きを行う装置であって、請求項１から５の何れか一項に記載の方法を実行する手段、または請求項６から９の何れか一項に記載の光ピックアップを含む、前記装置。
【請求項１１】
少なくとも１つの暗号化されたライト・ストラテジを含む記憶媒体。
【発明の詳細な説明】
【技術分野】
【０００１】
本発明は、レーザ・ドライバにライト・ストラテジ（ｗｒｉｔｅ  ｓｔｒａｔｅｇｙ）を伝送する方法、並びにこの方法を用いて光記録媒体の書込み（ｗｒｉｔｅ：ライト）または読み書き（ｒｅａｄ：リード）を行うピックアップおよび装置に関する。
【背景技術】
【０００２】
ＣＤおよびＤＶＤレコーダの応用例の数は急速に増加している。同様に、媒体（メディア）製造業者の数、およびそれに伴う光記録媒体の種類数も増加し続けている。この状況は、ＢＤ（ブルーレイ・ディスク）（商標）やＨＤ−ＤＶＤ（商標）など将来の光記録方式についても変わらないものと予想される。
【０００３】
いかなる記録装置にとっても重要な要件は、記録媒体の種類および記録速度に関わらず、少なくとも指定された最低限の品質でデータの書込みを行うことである。書込みプロセス中に得られる品質は、主として、光パワー制御装置（ＯＰＣ：Ｏｐｔｉｃａｌ  Ｐｏｗｅｒ  Ｃｏｎｔｒｏｌ）と、記録装置が所定の光記録媒体に対して使用するいわゆるライト・ストラテジとによって決まる。光パワー・レベルは、記録媒体が新しくなるたびに１回、記録装置によって自動的に調節される。しかし、ライト・ストラテジのパラメータは、通常は手作業で評価され、記録媒体の種類ごと記録速度毎に別々に決定される。ライト・ストラテジのパラメータはそれぞれライト（書き込み）信号およびライト（書込み）パルスの形状およびタイミングを記述する。特定の速度で記録される各シンボル（ピット長）は、各記録媒体毎に独自のライト・ストラテジ・パラメータのセットを有する。各記録媒体毎に、総数で約５０から１００個のパラメータを決定する必要がある。従って、ライト・ストラテジ・パラメータの評価は、長い時間と多くの資源とを必要とする。現在では、１つの種類の記録媒体のライト・ストラテジ・パラメータの評価は、１人のエンジニアが１日がかりで行っている。この時間の掛かる評価プロセスのおかげで、１つの記録装置がサポートする記録媒体の数が制限される。
【０００４】
同様に、記録装置の開発後に市場に出回り始めた新しい種類の記録媒体は、サポートされないか、サポートが不十分となる。これが消費者の不満につながる。サポートされる記録媒体の数を改善するためには、新しい記録媒体を評価する資源の量を増やし続ける必要がある。
【０００５】
記録可能光ディスクに対して記録を行うには、高周波数のレーザ・パルスが必要である。この周波数は、ピット周波数より高く、一般にピット当たり数個の短いパルスが存在する。書込み速度が速くなる（２倍、４倍、１６倍など）と、それに応じてレーザ・パルスの周波数も高くなる。これは、主プロセッサからレーザ・ドライバに極めて高い周波数の信号を伝送する必要があることを意味する。この伝送は、通常はフレキシブル・ボードを介して行われるが、この場合、周波数が高くなると問題（例えば、精度の問題）が生じる。既知の解決策としては、ライト・ストラテジ・パラメータをピックアップ、即ちピックアップに備えられたレーザ・ドライバにプログラムし、クロックおよびデータ・ストリームのみをレーザ・ドライバに送信して、比較的長いフレキシブル・ボードの配線を介して高周波数パルスを伝送しなくても済むようにするものがある。ライト・ストラテジ・データベースの生成は非常に費用が掛かるので、ライト・ストラテジの波形発生器を光ピックアップにプログラムする際にデータ伝送をトレースすることによって使用するライト・ストラテジが容易に検出できることは望ましくない。更に、別の装置用に開発されたライト・ストラテジでは光ディスクの読取りができない可能性があるので、ピックアップにプログラムされたライト・ストラテジがその特定の装置に本当に適していることを保証することが望ましい。
【特許文献１】特願２００５−００４８８８号公報
【発明の開示】
【発明が解決しようとする課題】
【０００６】
本発明の目的は、上記の欠点を解決したライト・ストラテジをレーザ・ドライバに伝送する方法、およびこの方法を使用するのに適当なピックアップを提案することである。
【課題を解決するための手段】
【０００７】
本発明によれば、この目的は、レーザ・ドライバにライト・ストラテジを伝送する方法であって、
暗号化されたライト・ストラテジをレーザ・ドライバに伝送するステップと、
伝送されたライト・ストラテジを、レーザ・ドライバの第１のメモリに記憶された解読キーを用いて解読するステップと、
を含む方法によって達成される。
【０００８】
本発明による光ピックアップは、
光記録媒体の書込みを行うレーザを駆動するレーザ・ドライバと、
少なくとも１つの解読キーを記憶する第１のメモリと、
暗号化されたライト・ストラテジを受信する入力と、
第１のメモリに記憶された解読キーを用いて、入力で受信された暗号化されたライト・ストラテジを解読する解読器と、
を含んでいる。
【０００９】
本発明は、レーザ・ドライバＩＣに対して、例えばレーザ・ドライバ、ピックアップまたは記録装置の製造中にキーをロードする可能性を与えることを提案する。その後、ライト・ストラテジを容易にトレースすることができないように、暗号化された状態のライト・ストラテジをマイクロプロセッサからレーザ・ドライバに送信する。装置に固有の暗号化を行うことにより、適切な装置でなければライト・ストラテジを使用することができないことを確実にする。暗号化されたライト・ストラテジの伝送中には、確率分析を用いたライト・ストラテジの不正解読を防止するために、「ブラインド」（無意味な）レジスタまたはデータも伝送すると有利である。ライト・ストラテジは、マイクロプロセッサに接続されたメモリに暗号化された状態で記憶されるか、または暗号化されずに記憶されて、レーザ・ドライバに送信されるときのみ暗号化される。レーザ・ドライバＩＣは、記憶したキーを用いてライト・ストラテジを解読する。この解決策には、一方で、クロックおよびデータ・ストリームをレーザ・ドライバに伝送するだけでよいので、高周波数のデータ伝送が行われないという利点がある。もう一方で、伝送されるライト・ストラテジがコピーから保護され、特定の装置に対して適当であるかどうか検証される。マイクロプロセッサに接続されたメモリに記憶されたライト・ストラテジは、例えば、光ピックアップが読み取る光記録媒体やストレージ（記憶）カード読取器に挿入されるストレージ（記憶）カードなど、暗号化されたライト・ストラテジが記憶された記憶媒体から、更新可能であることが好ましい。また、レーザ・ドライバは、マイクロプロセッサを介さずに、このような記憶媒体から直接、暗号化されたライト・ストラテジを受信することもできる。
【００１０】
特定の記録媒体に必要なライト・ストラテジは、それが必要になったときにレーザ・ドライバに伝送されることが好ましい。このようにすれば、サポートされる全てのライト・ストラテジをレーザ・ドライバに記憶する必要がない。ただし、同様に、伝送されたライト・ストラテジを、解読状態または暗号化状態で別のメモリに記憶することも可能である。この別のメモリは、キーに必要なメモリと同じであってもよいし、或いはレーザ・ドライバに統合または接続されたその他の任意のメモリであってもよい。
【００１１】
複数の解読キーを、レーザ・ドライバの第１のメモリに記憶すると有利である。これにより、様々な暗号化キーを用いてライト・ストラテジを暗号化することが可能になる。一方で、これは解読キーがハッキングされている場合に有用である。この場合には、まだハッキングされていない別のキーを用いて、新たなライト・ストラテジを暗号化する。もう一方で、様々な解読キーを用いることにより、同一のレーザ・ドライバを様々な光ピックアップまたは光学ドライブの製造業者に販売することができる。各製造業者は、１つまたは少数の暗号化キーに関する情報のみを受け取る。
【００１２】
レーザ・ドライバの第１のメモリに記憶された少なくとも１つの解読キーが更新可能であることが好ましい。この目的のために、更新装置を設ける。上述と同様に、これにより、ハッキングされた解読キーを新たな解読キーで置き換えることが可能になる。例えばより長いキーを用いるなど、新たな解読キーでは、セキュリティを改善させることもできる。解読キーのいかなる不正操作も防止するために、レーザ・ドライバの第１のメモリに記憶された少なくとも１つの解読キーを更新するためには、パスワードが必要であることが好ましい。このパスワードは、パスワード制御装置によって確認される。
【００１３】
光記録媒体に対して書込みまたは読み書きを行う装置は、本発明による方法を実行する光ピックアップまたは手段を含むと有利である。
【発明を実施するための最良の形態】
【００１４】
理解を深めるために、図面を参照する以下の記述において、本発明についてより詳細に説明する。本発明はこの例示的な実施形態に限定されないこと、および具体的に述べる幾つかの特徴は、本発明の範囲を逸脱することなく組み合わせる、または変更する、或いはその両方を行うことができることを理解されたい。
【００１５】
図１には、本発明による、ライト・ストラテジをレーザ・ドライバに伝送する方法が示してある。この図では、任意選択のステップは破線で示してある。特定の記録媒体への記録を行うためにレーザ・ドライバに伝送されるライト・ストラテジが暗号化されていない場合には、第１のステップ１で、ライト・ストラテジを暗号化する。次いで、ステップ２で、暗号化したライト・ストラテジを光ピックアップに伝送し、ステップ３で、解読器によってライト・ストラテジが解読される。必要なら、ステップ４で、暗号化された状態、または解読された状態のライト・ストラテジをメモリに記憶する。
【００１６】
本発明による方法を使用するのに適当な光記録媒体に書き込む装置を、図２に概略的に示す。この装置は、可動光ピックアップ１０および固定部分１１を含んでいる。固定部分１１にはマイクロプロセッサ１８が配置され、マイクロプロセッサ１８は、様々な機能に加えて、必要なライト・ストラテジを光ピックアップ１０に伝送する。光ピックアップ１０には、レーザ・ドライバＩＣ１４によって制御されるレーザ・ダイオード１３が配置される。レーザ・ダイオード１３は光ビームを放射し、この光ビームが、対物レンズ１５によって光記録媒体１２上に合焦される。光ピックアップのその他の要素は当業者には周知であり、分かりやすくするために省略してある。上記の要素の他に、光ピックアップ１０は、伝送された暗号化されたライト・ストラテジを解読するための解読器１６と、暗号化状態または解読状態の伝送されたライト・ストラテジを記憶するためのメモリ１７とを更に含んでいる。更に、１つまたは複数の解読キーがメモリ１７に記憶される。図面では１つのメモリ１７しか示していないが、解読キーを記憶するメモリとライト・ストラテジを記憶するメモリは別々のメモリであってもよい。更に、メモリ１７、または複数のメモリは、レーザ・ドライバＩＣ１４または解読器１６の一部であってもよい。また、メモリ１７は、固定部分１１に配置することもできる。この場合、ライト・ストラテジをこのメモリ１７に記憶する場合には、ライト・ストラテジは暗号化された状態で記憶しなければならない。同様に、解読器も、レーザ・ドライバＩＣ１４に統合する。レーザ・ドライバ１４は、特定の記録媒体１２用のライト・ストラテジが必要なときには、このライト・ストラテジをメモリ１７またはマイクロプロセッサ１８から得る。ライト・ストラテジが解読状態でメモリ１７に記憶されているときには、この必要なライト・ストラテジは、メモリ１７からレーザ・ドライバ１４に直接伝送される。ライト・ストラテジが暗号化状態でメモリ１７に記憶されているときには、この必要なライト・ストラテジは、メモリ１７から解読器１６を介してレーザ・ドライバ１４に伝送される。また、レーザ・ドライバＩＣ１４は、必要なライト・ストラテジを、直接、またはマイクロプロセッサ１８を介して間接的に、暗号化されたライト・ストラテジが記憶される記憶媒体から得ることもできる。この記憶媒体は、例えば、光記録媒体１２またはストレージ・カード読取器に挿入されたストレージ・カードとすることができる。このような記憶媒体を使用して、マイクロプロセッサ１８のメモリに記憶されたライト・ストラテジ、またはレーザ・ドライバＩＣ１４のメモリ１７に記憶された解読キーを更新することもできる。
【００１７】
以下に他の実施例を例示する。
（１）レーザ・ドライバにライト・ストラテジを伝送する方法であって、
暗号化されたライト・ストラテジを前記レーザ・ドライバ（１４）に伝送するステップ（２）と、
前記伝送されたライト・ストラテジを、前記レーザ・ドライバの第１のメモリ（１７）に記憶された解読キーを用いて解読するステップ（３）と、
を含む、前記方法。
（２）伝送されたライト・ストラテジを、解読状態または暗号化状態で、第２のメモリ（１７）に記憶するステップ（４）を更に含む、（１）に記載の方法。
（３）複数の解読キーが、前記レーザ・ドライバの前記第１のメモリ（１７）に記憶される、（１）または（２）に記載の方法。
（４）前記レーザ・ドライバ（１４）の前記第１のメモリ（１７）に記憶された少なくとも１つの解読キーが更新可能である、（１）から（３）の何れか一項に記載の方法。
（５）前記レーザ・ドライバ（１４）の前記第１のメモリ（１７）に記憶された前記少なくとも１つの解読キーを更新するためにはパスワードが必要である、（４）に記載の方法。
（６）光記録媒体（１２）の書込みを行うレーザ（１３）を駆動するレーザ・ドライバ（１４）と、
少なくとも１つの解読キーを記憶する第１のメモリ（１７）と、
暗号化されたライト・ストラテジを受信する入力と、
前記第１のメモリ（１７）に記憶された解読キーを用いて、前記入力で受信された暗号化されたライト・ストラテジを解読する解読器（１６）と、
を含む、光ピックアップ。
（７）伝送されたライト・ストラテジを、解読状態または暗号化状態で記憶する第２のメモリ（１７）を更に含む、（６）に記載の光ピックアップ。
（８）前記レーザ・ドライバ（１４）の前記第１のメモリ（１７）に記憶された少なくとも１つの解読キーを更新する更新装置を更に含む、（６）または（７）に記載の光ピックアップ。
（９）前記レーザ・ドライバ（１４）の前記第１のメモリ（１７）に記憶された前記少なくとも１つの解読キーの更新を制限するパスワード制御装置を更に含む、（８）に記載の光ピックアップ。
（１０）光記録媒体に対して書込みまたは読み書きを行う装置であって、（１）から５の何れか一項に記載の方法を実行する手段、または（６）から（９）の何れか一項に記載の光ピックアップを含む、前記装置。
（１１）少なくとも１つの暗号化されたライト・ストラテジを含む記憶媒体。
【図面の簡単な説明】
【００１８】
【図１】本発明による、ライト・ストラテジをレーザ・ドライバに伝送する方法を示す図である。
【図２】本発明による方法を使用するのに適した、光記録媒体に書き込む装置を示す概略図である。
【符号の説明】
【００１９】
１０  光ピックアップ
１１  固定部分
１２  光記録媒体
１３  レーザ・ダイオード
１４  レーザ・ドライバＩＣ
１５  対物レンズ
１６  解読器
１７  メモリ
１８  マイクロプロセッサ
【図１】
2007134030.tif 000003
【図２】
2007134030.tif 000004